(57)【特許請求の範囲】
【請求項１】
エプロンに作業口を設け、該作業口には着脱可能な作業口蓋が取り付けられてなる浴槽エプロンにおいて、
前記作業口には、前記作業口蓋を取り外した状態でも作業口内に一部突出するエプロン裏側に設置された風呂釜装置の一部の前面を覆うことのできるカバー部が設けられていることを特徴とする浴槽エプロン構造。
【請求項２】
前記カバー部の前面には、前記作業口蓋を前記作業口に取り付けるための金具が設けられていることを特徴とする請求項１に記載の浴槽エプロン構造。
【発明の詳細な説明】
【技術分野】
【０００１】
本発明は、浴槽のエプロンの構造に関するものである。
【背景技術】
【０００２】
従来、特許文献１に開示されているように、浴槽の洗い場側に立設されるエプロンに作業口を設け、この作業口と同じ大きさの作業口蓋を、作業口に着脱可能に覆設した構造が存在する。
【特許文献１】特開２００２−３６９７５７号公報
【発明の開示】
【発明が解決しようとする課題】
【０００３】
浴槽エプロンに作業口を設ける場合、点検作業が容易なように、作業口はできる限り大きい方が好ましいが、浴槽エプロンの裏側に風呂釜を設置するような場合には、風呂釜の排気筒が作業口蓋を開けた時に露出して、この風呂釜の排気筒が高温であるため、相当注意しなければならないという問題点があった。
【課題を解決するための手段】
【０００４】
本発明は上記従来の問題点に鑑み案出したものであって、作業口を大きく形成することができ、またエプロンの裏側に風呂釜が設置されている場合でも、高温部に注意する必要がない浴槽エプロン構造を提供するものであり、その請求項１は、エプロンに作業口を設け、該作業口には着脱可能な作業口蓋が取り付けられてなる浴槽エプロンにおいて、前記作業口には、前記作業口蓋を取り外した状態でも作業口内に一部突出するエプロン裏側に設置された風呂釜装置の一部の前面を覆うことのできるカバー部が設けられていることである。
【０００５】
また、請求項２は、前記カバー部の前面には、前記作業口蓋を前記作業口に取り付けるための金具が設けられていることである。
【発明の効果】
【０００６】
本発明は、エプロンに作業口を設け、該作業口には着脱可能な作業口蓋が取り付けられてなる浴槽エプロンにおいて、前記作業口には、前記作業口蓋を取り外した状態でも作業口内に一部突出するエプロン裏側に設置された風呂釜装置の一部の前面を覆うことのできるカバー部が設けられていることにより、エプロンの裏側に設けられている風呂釜装置の一部の排気筒等がカバー部でカバーされるため、作業口蓋を取り外して作業口を開けた時にも、排気筒等の高温部に触れる可能性が少なくなる。また、排気筒等の高温部がエプロンの裏側に配置されない場合には、カバー部を切り欠くことで作業口をより大きくとることができる。
【０００７】
また、前記カバー部の前面には、前記作業口蓋を前記作業口に取り付けるための金具が設けられていることにより、カバー部に設けられた金具に対し作業口蓋を良好に着脱可能に取り付けることができるものとなる。
【実施例】
【０００８】
以下、本発明の実施例を図面に基づいて説明する。
図１は、浴槽の側面構成図であり、また図２は、平面構成図である。なお、図３は、右側の作業口蓋６を取り外した状態の浴槽の正面構成図であり、図４は、図３の要部拡大構成図である。
浴槽１の浴槽壁１ａの上端にはフランジ部１ｂが一体形成され、このフランジ部１ｂに、洗い場側においてエプロン２が垂設されて取り付けられており、このエプロン２と浴槽壁１ａ間の空間内に風呂釜装置３が配置され、風呂釜装置３の配管接続作業や点検のためにエプロン２の左右端側には作業口２ａ，２ａが形成されて、作業口２ａには着脱可能に作業口蓋６が取り付けられている。
【０００９】
なお、風呂釜装置３には、上方側から排気筒３ａ，給気筒３ｂ，出湯管接続部３ｃ，給水管接続部３ｄ，ガス管接続部３ｅ，追い焚き循環配管接続部３ｆ，３ｆが側方に突出されており、排気筒３ａおよび給気筒３ｂは、浴槽１の側面に水平に回されて配管されており、排気筒３ａは風呂釜装置３が運転されることにより高温となるものであるが、この排気筒３ａの前面を覆うようにエプロン２から一体状に作業口２ａ内に突出してカバー部４が設けられている。
【００１０】
なお、このカバー部４は、作業口２ａ内の上端側に配置されたものであり、作業口２ａはエプロン２の下端に至る広い開口面積に形成されており、作業が容易に行えるように構成されている。
この作業口２ａには着脱可能に作業口蓋６が取り付けられるものであり、作業口蓋６の表側に指を入れて引っ掛けることのできる手掛け部６ａが凹み状に形成されており、作業口蓋６の裏側の上部には上掛止金具７が、また裏側の下端には下掛止金具８が取り付けられている。
【００１１】
また、図４に示すように、エプロン２側から作業口２ａ内に突出してダボ９が設けられており、図６に示すように、このダボ９に作業口蓋６の裏側の下掛止金具８を上方より差し込んで係合させ、その状態で作業口蓋６の上部部位を浴槽壁１ａ側に押すことで、作業口蓋６の上掛止金具７がカバー部４に取り付けられている金具５に掛止されて、作業口蓋６が作業口２ａに取り付けられるものであり、作業口蓋６の取付状態は図７に示す。
作業口蓋６を取り外す際には、手掛け部６ａに指を入れて上方に押し上げることにより、良好に作業口蓋６を容易に取り外すことができるものである。
【００１２】
なお、図５の作業口蓋６を取り外した状態のエプロン２の正面構成図で示すように、カバー部４の前面の金具５の下方側に高温注意ラベル４ａを貼っておけば、より排気筒等の高温部に触れる可能性が少なくなるものである。例えば、高温注意ラベル４ａには、「この裏には高温の配管があります。ご使用後１時間は奥には手を入れないで下さい。」等の説明書きを設けておけば良い。従って、作業口蓋６を取り外した時にも、このような高温注意ラベル４ａが目に付き、注意することができるものとなり、また、カバー部４により排気筒３ａの前面は覆蓋されているため、手が排気筒３ａに触れることが防がれ、作業等を安全に行うことができるものとなる。
【００１３】
なお、本例では、作業口２ａはエプロン２の左右両側に開口されているが、一方側に開口されたものであっても良く、また作業口２ａは、エプロン２の中央部等の他の箇所に開口されたものであっても良い。
なお、作業口２ａがエプロン２の右端または左端側に開口されているような場合には、現場においては、壁面等からガスコック等の突出物が作業口２ａ側に突出している場合があり、そのような場合、現場で作業口蓋６を適宜切り欠いて、ガスコック等の突出部との干渉を避けることができ、エプロン２そのものを切り欠く必要がなく、現場での設置作業等を容易に行えるものとなる。
【００１４】
なお、図６および図７において、図中１０は、浴槽１側からエプロン２側へ延びる支持金具であり、この支持金具１０にエプロン２の裏側下端に設けられたエプロン金具１１を掛止して、エプロン２が取り付けられるものである。
【図面の簡単な説明】
【００１５】
【図１】浴槽とエプロンの間に風呂釜装置が配置されている浴槽の側面構成図である。
【図２】図１の平面構成図である。
【図３】作業口蓋を取り外した状態のエプロンの正面構成図である。
【図４】図３の要部拡大正面構成図である。
【図５】カバー部の前面に高温注意ラベルを貼着した場合のエプロンの正面構成図である。
【図６】作業口蓋を取り付ける前の分解側面構成図である。
【図７】作業口に作業口蓋を取り付けた状態の側面構成図である。
【符号の説明】
【００１６】
１  浴槽
１ａ  浴槽壁
１ｂ  フランジ部
２  エプロン
２ａ  作業口
３  風呂釜装置
３ａ  排気筒
３ｂ  給気筒
３ｃ  出湯管接続部
３ｄ  給水管接続部
４  カバー部
５  金具
６  作業口蓋
６ａ  手掛け部
７  上掛止金具
８  下掛止金具
９  ダボ
【図１】
0004740024.tif 000002
【図２】
0004740024.tif 000003
【図３】
0004740024.tif 000004
【図４】
0004740024.tif 000005
【図５】
0004740024.tif 000006
【図６】
0004740024.tif 000007
【図７】
0004740024.tif 000008